(57)【要約】      （修正有）【課題】表示時間だけでなく、混雑状況に応じて、細かな変更を行うことができるコンテンツ表示システムを得る。【解決手段】店舗等の所定領域内の混雑状況を判定する混雑レベル判定装置２００と、１又は複数の編成開始時間及び終了時間を定めた複数のタグ情報から、混雑レベル判定装置２００が判定した混雑状況のレベルに基づいてタグ情報を選択し、選択したタグ情報に基づいてコンテンツ記憶部が記憶するコンテンツデータから、コンテンツを再編成した新たなコンテンツデータを作成する配信装置３００と、新たなコンテンツデータに基づいてコンテンツを表示する表示装置１００とを備える。【選択図】図１
2012032884.tif 000002
【特許請求の範囲】
【請求項１】
所定領域内の混雑状況を判定する混雑判定装置と、
１又は複数の編成開始時間及び終了時間を定めた複数のタグ情報と前記混雑状況とを対応づけて予め記憶手段に記憶し、前記混雑判定装置が判定した混雑状況に基づいてタグ情報を選択し、選択した前記タグ情報に基づいて、記憶手段が記憶するコンテンツデータから、コンテンツを再編成した新たなコンテンツデータを作成するコンテンツ編成装置と、
前記新たなコンテンツデータに基づいて前記コンテンツを表示する表示装置と
を備えることを特徴とするコンテンツ表示システム。
【請求項２】
前記コンテンツ編成装置は、
前記コンテンツの種類と前記混雑状況とに基づいて選択するタグ情報を定めるルールデータを記憶するルール記憶部を有し、
前記ルールデータに基づいて、各種類の前記コンテンツに対する前記タグ情報を選択し、各種類の前記コンテンツデータを加工して新たなコンテンツデータを作成することを特徴とする請求項１記載のコンテンツ表示システム。
【請求項３】
前記コンテンツ編成装置は、前記表示装置と電気通信回線網を介して通信接続し、前記コンテンツデータを含む信号を前記表示装置に配信することを特徴とする請求項１又は２記載のコンテンツ表示システム。
【請求項４】
前記混雑判定装置は、撮像装置が撮像した画像と非混雑時に撮像した画像との比較に基づいて、混雑状況を判定することを特徴とする請求項１〜３のいずれかに記載のコンテンツ表示システム。
【請求項５】
前記混雑判定装置は、前記コンテンツ編成装置と電気通信回線網を介して通信接続し、前記混雑状況のデータを含む信号を前記コンテンツ編成装置に送信することを特徴とする請求項１〜４のいずれかに記載のコンテンツ表示システム。
【請求項６】
所定領域内の混雑情報を取得する混雑情報取得部を備えたコンテンツ編成装置であって、
前記コンテンツ編成装置はコンテンツデータおよび１又は複数の編成開始時間及び終了時間を定めた複数のタグ情報を前記混雑情報と対応づけて予め記憶した記憶手段と、
前記混雑情報取得部が前記混雑情報を取得すると、該混雑情報に基づくタグ情報を選択し、選択した前記タグ情報に基づいて前記記憶手段が記憶するコンテンツデータから、コンテンツを再編成した新たなコンテンツデータを作成する配信コンテンツ決定機能部とを
備えることを特徴とするコンテンツ編成装置。
【請求項７】
前記コンテンツ編成装置は、表示装置と電気通信回線網を介して接続され、
前記新たなコンテンツデータの作成後に、該新たなコンテンツデータを前記表示装置へ配信するコンテンツ配信機能部を備えることを特徴とする請求項６記載のコンテンツ編成装置。
【発明の詳細な説明】
【技術分野】
【０００１】
本発明は、例えば店舗等に設置した表示装置にデジタルデータによるコンテンツを表示させるためのコンテンツ表示システムに関するものである。
【背景技術】
【０００２】
例えば、店舗、ＡＴＭ等が有する表示装置に、文字、静止画、動画等からなる広告等のコンテンツ（表示内容。例えば、複数の広告が１つのコンテンツとなっている場合も含む）を表示させて、顧客等への訴求効果を高めるようにすることが行われている。このとき、例えば、コンテンツの内容を表す表示用のデジタルデータ（以下、コンテンツデータという）を含む信号を電気通信回線網（ネットワーク）を介して配信して表示装置に表示させるシステムがある。そして、このようなシステムにおいて、店舗内の人の混雑（人数）状況に応じてコンテンツの表示時間を変更制御するものもある（例えば、特許文献１参照）。
【先行技術文献】
【特許文献】
【０００３】
【特許文献１】特開２００６−０８５２３８号公報
【発明の概要】
【発明が解決しようとする課題】
【０００４】
しかしながら、上述した特許文献１において、混雑状況に応じた変更を行うことができるものはコンテンツの表示時間だけであった。
【０００５】
そこで、表示時間だけでなく、混雑状況に応じたコンテンツの変更を行うことができるコンテンツ表示システムの実現が望まれていた。
【課題を解決するための手段】
【０００６】
本発明に係るコンテンツ表示システムは、所定領域内の混雑状況を判定する混雑判定装置と、１又は複数の編成開始時間および終了時間を定めた複数のタグ情報と混雑状況とを対応づけて予め記憶手段に記憶し、混雑判定装置が判定した混雑状況に基づいてタグ情報を選択し、選択した前記タグ情報に基づいて、記憶手段が記憶するコンテンツデータから、コンテンツを再編成した新たなコンテンツデータを作成するコンテンツ編成装置と、前記新たなコンテンツデータに基づいて前記コンテンツを表示する表示装置とを備える。
【発明の効果】
【０００７】
本発明によれば、混雑判定装置が混雑状況を判定し、コンテンツ編成装置においては、タグ情報に基づいてコンテンツを再編成した新たなコンテンツデータを作成して表示装置に表示を行うようにしたので、混雑状況に基づく時間だけでなく、コンテンツによる表示内容についても制御することができ、より表示の自由度が高いコンテンツ表示システムを得ることができる。
【図面の簡単な説明】
【０００８】
【図１】本発明の実施の形態１に係るコンテンツ表示システムの構成を表す図である。
【図２】表示装置１００の構成を表す図である。
【図３】混雑レベル判定装置２００の構成を表す図である。
【図４】配信装置３００の構成を表す図である。
【図５】コンテンツとタグ情報との関係例を表す図である。
【図６】各装置が行う処理と信号の流れとを表す図である。
【図７】配信ルールの内容例を表す図である。
【発明を実施するための形態】
【０００９】
実施の形態１．
図１は本発明の実施の形態１に係るコンテンツ表示システムの構成を表す図である。本実施の形態におけるコンテンツ表示システムは、店舗１側に設けた表示装置１００および混雑レベル判定装置２００と配信装置３００とをネットワーク１０００を介して通信（信号の送受信）ができるようにしている。ここで、本実施の形態では表示装置１００を店舗１内に設置し、店舗１内の混雑状況を混雑レベル判定装置２００が判定するものとして説明するが、設置場所は店舗１に限らず、（主として人が集まるような場所であれば）設置場所は問わない。また、図１では表示装置１００および混雑レベル判定装置２００を有する店舗１を２店舗記載しているが、店舗数を限定するものではない。
【００１０】
図２は表示装置１００の構成を表す図である。表示装置１００は、コンテンツの表示を行うための装置である。ここでは、単独の装置として記載しているが、例えばＡＴＭの表示手段等、コンテンツデータを処理し、コンテンツデータに基づくコンテンツを表示することができれば、他の装置の表示手段を表示装置１００として利用することができる。本実施の形態の表示装置１００は、表示側通信部１１０、表示側処理部１２０および表示部１３０を有している。表示側通信部１１０は、ネットワーク１０００を介して配信装置３００から送られる（配信される）コンテンツデータを含む信号を処理する。表示側処理部１２０は、コンテンツデータを処理して表示信号を作成する処理を行う。表示部１３０は表示信号に基づいてコンテンツの表示を行う。
【００１１】
図３は混雑レベル判定装置２００の構成を表す図である。混雑レベル判定装置２００は、店舗内の混雑状況を表す混雑レベルを判定し、混雑レベルのデータ（混雑レベルデータ）等を含む信号を配信装置３００側に送る。本実施の形態の混雑レベル判定装置２００は、カメラ部２１０、混雑レベル計測機能部２２０および混雑レベル通知機能部２３０を有している。カメラ部２１０は、混雑状況を画像認識で判断するために店舗１内の様子を撮像し、画像データに変換する処理を行う。
【００１２】
また、混雑レベル計測機能部２２０は、カメラ部２１０が撮像した画像の画像データに基づいて混雑レベルを決定する。本実施の形態においては、混雑状況を複数段階に分類した混雑レベルを設定する。ここでは混雑レベルを３段階（Ａ、Ｂ、Ｃ）に分類する。混雑レベルＡが最も混雑具合が大きく（人が多く）、混雑レベルＣが最も混雑具合が小さい（人が少ない）。
【００１３】
混雑レベルの判定手順等については、特に限定するものではないが、本実施の形態では、カメラ部２１０の撮像に係る画像の画像データが表す画像と人がいない非混雑時の場合における画像との画像データに基づき、画像内での各位置の差分値を算出して混雑レベルを判定する。例えば、混雑レベル毎に対応する差分値の合計値の範囲を定めておき、２つの画像データにおける各位置の差分値を算出して合計し、その合計値に該当する混雑レベルを判定する。
【００１４】
混雑レベル通知機能部２３０は、混雑レベル計測機能部２２０が決定した混雑レベルデータを含む信号を送る処理を行う。このとき、例えばネットワーク１０００で配信装置３００と通信を行っている他の店舗１の混雑レベル判定装置２００が判定した混雑レベルと区別できるようにする。このため、各混雑レベル判定装置２００がネットワーク１０００において、固有の識別データも含める。また、配信装置３００が配信する表示装置１００に関する表示装置の情報（表示装置情報）も含める。
【００１５】
図４は配信装置３００の構成を表す図である。本実施の形態では、配信装置３００は、コンテンツ編成装置としてコンテンツを再編成する機能を有している。このため、配信装置３００は、混雑レベル受信機能部３１０、配信コンテンツ決定機能部３２０、コンテンツ配信機能部３３０、コンテンツ記憶部３４０、配信ルール記憶部３５０を有している。混雑レベル受信機能部３１０は、ネットワーク１０００を介して混雑レベル判定装置２００から送られる混雑レベルデータ等を含む信号を処理する。
【００１６】
配信コンテンツ決定機能部３２０は、混雑レベルデータが表す混雑レベルに対応するタグ情報を決定し、タグ情報に基づいてコンテンツデータを加工して再編成した新たなコンテンツデータを作成する。
【００１７】
図５はコンテンツとタグ情報との関係例を表す図である。タグ情報とは、コンテンツの全体から、配信を行う区間の表示開始時間および表示終了時間を、混雑レベルに応じて１又は複数定めた、コンテンツの編集点を表すものである。図５の例において、混雑レベルＡの場合には、タグ情報Ａとして、表示時間Ａ１ｓ−Ａ１ｅ、Ａ２ｓ−Ａ２ｅおよびＡ３ｓ−Ａ３ｅを設定している（図５（ａ））。また、混雑レベルＢの場合には、タグ情報Ｂとして、表示時間Ｂ１ｓ−Ｂ１ｅおよびＢ２ｓ−Ｂ２ｅを設定しており（図５（ｂ））、混雑レベルＣの場合には、タグ情報Ｃとして、表示時間Ｃ１ｓ−Ｃ１ｅを設定している（図５（ｃ））。
【００１８】
タグ情報に基づいてコンテンツデータを加工する処理としては、例えば、混雑レベルＡの場合には時間Ａ１ｓ−Ａ１ｅ、Ａ２ｓ−Ａ２ｅおよびＡ３ｓ−Ａ３ｅの各区間を切り出し後にＡ１ｅとＡ２ｓ、Ａ２ｅとＡ３ｓをそれぞれつなぎあわせて再編成する。また、上記方法のほかに、例えば切り出し処理は行わずにコンテンツデータのＡ１ｅ−Ａ２ｓおよびＡ２ｅ−Ａ３ｓの区間を飛ばしてＡ１ｓ−Ａ１ｅ、Ａ２ｓ−Ａ２ｅおよびＡ３ｓ−Ａ３ｅのみを表示装置に表示させるようにしてもよい。
【００１９】
コンテンツ配信機能部３３０は、配信コンテンツ決定機能部３２０が新たに作成したコンテンツデータを含む信号を、表示装置情報に基づいて所定の表示装置１００に配信処理する。また、コンテンツ記憶部３４０は、コンテンツデータを予め記憶している。配信ルール記憶部３５０は、例えばコンテンツデータの加工に係るルールをルールデータとして予め記憶している。本実施の形態では、前述したタグ情報と混雑度レベルの関係をルールデータとして記憶している。
【００２０】
図６はコンテンツ表示システムにおいて各装置が行う処理と信号の流れとを表す図である。ここでは、ある店舗１の表示装置１００および混雑レベル判定装置２００と配信装置３００との間で行うコンテンツ表示に係る処理等について説明する。混雑レベル判定装置２００は、所定の間隔で店舗１内の混雑レベルを判定する（Ｓ１０１）。判定手順については、上述したように、カメラ部２１０で撮像した画像を、人がいない状態の画像と比較する。
【００２１】
そして、混雑レベル通知機能部２３０は、判定した混雑レベルデータを他のデータとともに信号に含めて送信する（Ｓ１０２）。
【００２２】
配信装置３００では、混雑レベル受信機能部３１０の受信に係る混雑レベルデータに基づいて、配信コンテンツ決定機能部３２０が、対応するタグ情報によりコンテンツデータを加工して新たなコンテンツデータを作成する（Ｓ１０３）。
【００２３】
そして、コンテンツ配信機能部３３０は、混雑レベルデータと共に送られた表示装置情報に基づいてコンテンツ配信を行う表示装置１００を決定し、新たなコンテンツデータを含む信号の送信処理を行う（Ｓ１０４）。
【００２４】
表示装置１００においては、表示側通信部１１０の受信に係るコンテンツデータを表示側処理部１２０が処理して表示信号を作成する。そして、表示部１３０が表示信号に基づいて、混雑レベルに応じて再編成したコンテンツ表示を行う（Ｓ１０５）。
【００２５】
以上のように、実施の形態１のコンテンツ表示システムによれば、混雑レベル判定装置２００が混雑状況に基づいて混雑レベルを判定し、混雑レベルに係る信号を配信装置３００に送り、配信装置３００においては、タグ情報に基づいてコンテンツを再編成して作成した新たなコンテンツデータを表示装置１００に配信し、表示装置１００において処理して表示を行うようにしたので、混雑状況に基づく時間だけでなく、コンテンツによる表示内容についても制御することができ、より表示の自由度がたかいコンテンツ表示システムを得ることができる。
【００２６】
実施の形態２．
本実施の形態では、複数種類のコンテンツデータに対し、配信ルール記憶部３５０に記憶したルールデータを用いたコンテンツの再編成について説明する。ここで、本実施の形態では、例えば優先度に基づく複数種類のコンテンツデータをコンテンツ記憶部３４０に記憶しているものとする。優先度とは、例えば、優先度１：顧客の広告、優先度２：自社の広告、優先度３：優先度の低いお知らせ等のように表示させるコンテンツの優先度合いを設定したものである。例えば優先度の高いコンテンツほど、混雑レベルが高くても表示時間を長くするように新たなコンテンツデータを作成する。
なお、本実施例ではコンテンツ記憶部３４０および配信ルール記憶部３５０として各種情報をそれぞれ異なる記憶部に記憶しているものとして説明するが、本発明はこれに限定されず、例えばコンテンツ記憶部３４０と配信ルール記憶部３５０を一つの記憶部として構成するようにしてもよい。
【００２７】
図７は実施の形態２に係るルールの内容例を表す図である。本実施の形態の配信ルール記憶部３５０は、前述したように、各種のコンテンツについて定められたルールデータを記憶する。図７では、３種類の優先度に応じたコンテンツについて、混雑レベルと適用するタグ情報との関係をルールとして定めている。ここで、本実施の形態における混雑レベルは８段階としている。
【００２８】
例えば、混雑レベル１の場合には、優先度１〜３のコンテンツをすべてタグ情報Ｃにより再編成して新たなコンテンツデータを作成し、配信する。このため、配信コンテンツ決定機能部３２０は、各コンテンツデータの表示時間Ｃ１ｓ−Ｃ１ｅの区間を切り出し、つなぎ合わせて再編成する。
【００２９】
また、混雑レベル４の場合には、優先度１のコンテンツをタグ情報Ｃ、優先度２のコンテンツをタグ情報Ａにより再編成して新たなコンテンツデータを作成し、配信する。このため、配信コンテンツ決定機能部３２０は、優先度１に係るコンテンツデータの表示時間Ｃ１ｓ−Ｃ１ｅの区間を切り出す。また、優先度２に係るコンテンツデータの表示時間Ａ１ｓ−Ａ１ｅ、Ａ２ｓ−Ａ２ｅおよびＡ３ｓ−Ａ３ｅの区間を切り出す。そして、つなぎ合わせて再編成する。
【００３０】
再編成に係る新たなコンテンツデータを含む信号は、実施の形態１と同様に、コンテンツ配信機能部３３０によりネットワーク１０００を介して所定の表示装置１００に送られ、表示装置１００においてコンテンツの表示が行われる。
【００３１】
以上のように実施の形態２のシステムによれば、配信ルール記憶部３５０に配信ルールをデータとして記憶しておき、例えば混雑レベルに応じて、各優先度に係るコンテンツデータを、配信ルールにより定められたタグ情報に基づいて加工し、再編成した新しいコンテンツデータを作成するようにしたので、コンテンツの優先度に応じた再生時間、表示内容で表示を行うことができる。
【００３２】
実施の形態３．
上述の実施の形態では、表示装置１００と混雑レベル判定装置２００との対応関係が１対１の関係であったが、これに限定するものではない。例えば、１台の混雑レベル判定装置２００の判定結果に基づいて配信されるコンテンツデータを複数台の表示装置１００がそれぞれ処理し、コンテンツ表示を行うようにしてもよい。また、Ｍ台（Ｍは２以上）の混雑レベル判定装置２００が判定した混雑レベルに基づいて、Ｎ台（Ｎは２以上）の表示装置がコンテンツ表示を行うようにしてもよい。
【００３３】
実施の形態４．
上述の実施の形態では、混雑レベル判定装置２００は、カメラ部２１０が撮像した画像に基づいて、混雑レベルを判定するようにしたが、画像に基づく判定に限定するものではない。例えば、店舗出入口での計数により、店舗内の人数が把握できるような場合においては、計数に応じた混雑レベルの判定を行うようにしてもよい。場合によっては、目視して人数を計数した後、人数の情報を混雑レベル判定装置へ手入力することでレベル判定等することもできる。
【００３４】
実施の形態５．
上述の実施の形態では、配信装置が、タグ情報に基づいて新たなコンテンツデータを作成するようにしたが、これに限定するものではない。例えば配信装置３００は、コンテンツデータとタグ情報とを含む信号を表示装置１００に送信し、表示装置１００において新たなコンテンツデータを作成する等、コンテンツ編成装置としての機能を表示装置１００が行うようにしてもよい。
【００３５】
実施の形態６．
上述の実施の形態においては、配信ルールについて特に規定しなかったが、例えば、時間等に基づいて配信ルールを異なる内容の配信ルールに変更する等してもよい。
【００３６】
実施の形態７．
上述の実施の形態では、表示装置１００、混雑レベル判定装置２００と配信装置３００とをネットワーク１０００を介して通信接続することでシステムを構成したが、本発明はこのような形態に限定するものではない。例えば、表示装置１００、混雑レベル判定装置２００および配信装置３００を同じ筐体内に設けることで、１台の装置として一体形成することができる。また、表示装置１００と配信装置３００とを一体形成する等、装置構成を種々変更することができる。
【００３７】
実施の形態８．
上述の実施の形態では、タグ情報に基づいてコンテンツデータの各区間毎に切り出して再編成するようにしたが、これに限定するものではない。例えば、コンテンツ記憶部に予めタグ情報を埋め込んだコンテンツデータを記憶させ、タグ情報の埋め込まれたコンテンツデータから、混雑レベルに応じたタグ情報に該等する区間を表示させるようにしてもよい。
【符号の説明】
【００３８】
１００  表示装置
１１０  表示側通信部
１２０  表示側処理部
１３０  表示部
２００  混雑レベル判定装置
２１０  カメラ部
２２０  混雑レベル計測機能部
２３０  混雑レベル通知機能部
３００  配信装置
３１０  混雑レベル受信機能部
３２０  配信コンテンツ決定機能部
３３０  コンテンツ配信機能部
３４０  コンテンツ記憶部
３５０  配信ルール記憶部
１０００  ネットワーク
【図１】
2012032884.tif 000003
【図２】
2012032884.tif 000004
【図３】
2012032884.tif 000005
【図４】
2012032884.tif 000006
【図５】
2012032884.tif 000007
【図６】
2012032884.tif 000008
【図７】
2012032884.tif 000009